(57)【要約】【課題】  可動部を支持するための支持ワイヤを、撓むことなく真っ直ぐの状態で可動部に半田付けすることができ、また、容易に支持ワイヤの半田付け作業を行うことができる光ピックアップを提供する。【解決手段】  光ピックアップ１の可動部３には、支持ワイヤ４の軸線方向に対して若干傾斜している半田面３２を有する半田用基板３３が設けられている。半田用基板の半田面は、支持ワイヤ４の端部またはその近傍に対して傾斜した状態で接触し半田付けされることにより、支持ワイヤが、フォーカスコイル７とトラッキングコイル８にそれぞれ電気的に接続されている。【選択図】    図１
2005149585.tif 000002
【特許請求の範囲】
【請求項１】
光ディスクの記録面上に光を集光させるための対物レンズが設けられ、前記光ディスクに対する前記対物レンズの位置をフォーカスコイルおよびトラッキングコイルで調整可能な可動部と、
この可動部を移動可能に支持する複数の支持ワイヤと、
この支持ワイヤを支持する支持台と、
この支持台が取付けられ、前記フォーカスコイルおよび前記トラッキングコイルとの間でそれぞれ磁気回路を構成する永久磁石が取付けられたヨーク部とを備えた光ピックアップであって、
前記可動部には、前記支持ワイヤの軸線方向に対して若干傾斜している半田面を有する被接触部が設けられ、
前記被接触部の前記半田面が前記支持ワイヤの端部またはその近傍に対して傾斜した状態で接触し半田付けされることにより、前記支持ワイヤが前記フォーカスコイルと前記トラッキングコイルにそれぞれ電気的に接続されていることを特徴とする光ピックアップ。
【請求項２】
前記被接触部は前記可動部の本体部に、該本体部の基準面に対する前記半田面の傾斜角度を調節可能に取付けられていることを特徴とする請求項１に記載の光ピックアップ。
【請求項３】
前記被接触部は塑性変形可能な支持部を介して前記可動部本体部に取付けられていることを特徴とする請求項２に記載の光ピックアップ。
【発明の詳細な説明】
【技術分野】
【０００１】
本発明は、光ディスクの記録面上に対物レンズで光を集光させて情報の記録，再生などを行う光ピックアップに関する。
【背景技術】
【０００２】
光ピックアップは、光ディスク再生装置および光ディスク記録再生装置などの光ディスク装置に使用される。光ピックアップは、記録媒体である光ディスクの記録面上に光たとえばレーザー光を集光させて情報の記録，再生などを行う装置である。
光ピックアップは可動部を有しており、この可動部は、複数の支持ワイヤを介して支持台に支持されて移動可能である。可動部は、レーザー光を集光させるための対物レンズと、光ディスクに対する対物レンズの位置を調整するためのフォーカスコイルおよびトラッキングコイルとを有している。
【０００３】
図３は従来の光ピックアップの平面図で、図３（Ａ），（Ｂ）は、支持ワイヤを半田付けする前と半田付けした後の状態をそれぞれ示している。
図３に示すように、光ピックアップ１０１は可動部１０３を有しており、可動部１０３は、複数の支持ワイヤ１０４を介して支持台１０５に支持されて移動可能である。可動部１０３は、レーザー光を集光させるための対物レンズ１０２と、光ディスクに対する対物レンズ１０２の位置を調整するためのフォーカスコイル１０７およびトラッキングコイル１０８とを有している。フォーカスコイル１０７とトラッキングコイル１０８には、それぞれ支持ワイヤ１０４を介して電流が供給される。
可動部１０３には、支持ワイヤ１０４を半田付けするための半田用基板など被接触部１１０が取付けられている。被接触部１１０には、フォーカスコイル１０７またはトラッキングコイル１０８の巻線の端部が接続されている。
被接触部１１０の半田面１１１に支持ワイヤ１０４を半田付けすることにより、支持ワイヤ１０４は、フォーカスコイル１０７とトラッキングコイル１０８にそれぞれ電気的に接続される。
【０００４】
特開２００２−２９８４０３号公報（特許文献１）にも、連結部材（支持ワイヤ）で可動部を移動可能に支持する光学系支持装置（光ピックアップ）が記載されている。
【特許文献１】特開２００２−２９８４０３号公報
【発明の開示】
【発明が解決しようとする課題】
【０００５】
図３に示す従来の光ピックアップ１０１では、支持ワイヤ１０４を被接触部１１０に半田付けする以前は、図３（Ａ）に示すように、支持ワイヤ１０４と被接触部１１０の半田面１１１との間には隙間ｄがある。
光ピックアップ１０１の各部品の加工精度には限界があるので、支持ワイヤ１０４の曲がりをなくすために、半田付け前に隙間ｄが零になるように管理するのは実際上困難である。また、隙間ｄがマイナスすなわち支持ワイヤ１０４が半田面１１１に乗り上げた状態にすると、支持ワイヤ１０４自体が撓んで曲がってしまう。
そこで、半田付け前に支持ワイヤ１０４と半田面１１１との間に隙間ｄが形成されるように、各部品が形成されている。
【０００６】
ところが、この隙間ｄがある状態で、図３（Ｂ）に示すように支持ワイヤ１０４を被接触部１１０に半田付けする場合、支持ワイヤ１０４の先端部側は、可動部１０３側に強制的に押付けられて被接触部１１０に半田付けされる。
その際、支持ワイヤ１０４の先端部側は、半田付け時の熱収縮によって撓んだ状態で被接触部１１０に固定される。その結果、光ピックアップ１０１は、支持ワイヤ１０４が曲がった状態で組み立てられることになる。
また、特許文献１に記載の光ピックアップにおいても、支持ワイヤは曲がった状態で取付けられている。
図３や特許文献１に記載の光ピックアップのように、支持ワイヤが曲がっていると、可動部の移動動作に悪影響を与えて、光ピックアップの性能や特性を低下させる恐れがある。
また、従来の光ピックアップ１０１では、その支持ワイヤ１０４を半田付けするには、支持ワイヤ１０４を半田面１１１に対して隙間ｄを変化させることなく半田付けする必要があるので、半田付け作業に手間が掛かり半田付けの自動化も困難であった。
【０００７】
本発明は、このような課題を解決するためになされたもので、可動部を支持するための支持ワイヤを、撓むことなく真っ直ぐの状態で可動部に半田付けすることができ、また、容易に支持ワイヤの半田付け作業を行うことができる光ピックアップを提供することを目的とする。
【課題を解決するための手段】
【０００８】
上述の目的を達成するため、本発明にかかる光ピックアップは、光ディスクの記録面上に光を集光させるための対物レンズが設けられ、前記光ディスクに対する前記対物レンズの位置をフォーカスコイルおよびトラッキングコイルで調整可能な可動部と、この可動部を移動可能に支持する複数の支持ワイヤと、この支持ワイヤを支持する支持台と、この支持台が取付けられ、前記フォーカスコイルおよび前記トラッキングコイルとの間でそれぞれ磁気回路を構成する永久磁石が取付けられたヨーク部とを備えた光ピックアップであって、前記可動部には、前記支持ワイヤの軸線方向に対して若干傾斜している半田面を有する被接触部が設けられ、前記被接触部の前記半田面が前記支持ワイヤの端部またはその近傍に対して傾斜した状態で接触し半田付けされることにより、前記支持ワイヤが前記フォーカスコイルと前記トラッキングコイルにそれぞれ電気的に接続されている。
前記被接触部は前記可動部の本体部に、該本体部の基準面に対する前記半田面の傾斜角度を調節可能に取付けられているのが好ましい。
この場合、前記被接触部は塑性変形可能な支持部を介して前記可動部本体部に取付けられているのが好ましい。
【発明の効果】
【０００９】
本発明の光ピックアップは、上述のように構成したので、可動部を支持するための支持ワイヤを、撓むことなく真っ直ぐの状態で可動部に半田付けすることができ、また、容易に支持ワイヤの半田付け作業を行うことができる。
【発明を実施するための最良の形態】
【００１０】
支持ワイヤを真っ直ぐの状態で半田付けするという目的を、支持ワイヤの軸線方向に対して若干傾斜している半田面を有する被接触部を可動部に設けるという簡素な構成により実現した。
【実施例】
【００１１】
以下、本発明にかかる一実施例を、図１，図２を参照して説明する。
図１は、本発明の一実施例にかかる光ピックアップの平面図、図２は図１の一部拡大平面図である。
図１，図２において、光ディスク装置（図示せず）に使用される光ピックアップ１は、移動機構（図示せず）により、記録媒体である光ディスクの半径方向に制御されつつ移動可能になっている。
光ディスク装置において、光ディスクを駆動モータで回転駆動するととともに、移動機構で所望の位置に光ピックアップ１を移動させる。そして、光ピックアップ１は、光ディスクの記録面上に対物レンズ２で光（たとえば、レーザー光）を集光させて、光ディスクに対して情報の記録，再生などを行う。
光ディスクとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１２】
光ピックアップ１は、可動部３，支持ワイヤ４，支持台５およびヨーク部（継鉄部）６などを有している。
可動部３には、フォーカスコイル７およびトラッキングコイル８と、光ディスクの記録面上にレーザー光などの光を集光させるための対物レンズ２とが設けられている。可動部３のフォーカスコイル７とトラッキングコイル８にそれぞれ電流を流すことにより、光ディスクに対する対物レンズ２の位置を調整可能である。
なお、説明の便宜上、対物レンズ２の光軸Ｂと平行な方向すなわちフォーカス方向をＸ方向とし、特に、光ディスク側，反光ディスク側をそれぞれ上方向，下方向とする。
このＸ方向と直交する方向（光ディスクの半径方向）すなわちトラッキング方向をＺ方向とし、Ｘ方向およびＺ方向と直交する方向をＹ方向とする。特に、図１の左右方向を光ピックアップ１の左右方向（Ｚ方向）とする。
本実施例では、対物レンズ２が可動部３の中央部より一方側に偏心して配置された「レンズオフセットタイプ」の光ピックアップ１の場合を示している。なお、本発明は、対物レンズが可動部のほぼ中央部に配置された「レンズセンタータイプ」の光ピックアップにも適用可能である。
【００１３】
磁性体からなるヨーク部６には、支持台５が取付けられている。支持台５は複数（ここでは、四本）の支持ワイヤ４を支持しており、この四本の支持ワイヤ４は可動部３を移動可能に支持している。
フォーカスコイル７およびトラッキングコイル８との間でそれぞれ磁気回路を構成する第１の永久磁石９ａと第２の永久磁石９ｂが、ヨーク部６の所定位置に取付けられている。
可動部３に設けられたフォーカスコイル７に電流を流せば、可動部３をフォーカス方向（対物レンズ２の光軸Ｂと平行な方向（Ｘ方向））に移動させることができる。トラッキングコイル８に電流を流せば、可動部３をトラッキング方向（光ディスクの半径方向（Ｚ方向））に移動させることができる。フォーカスコイル７とトラッキングコイル８には、支持ワイヤ４を介してそれぞれ電流が供給される。
可動部３は、所定形状の本体部２０を有しており、本体部２０は、絶縁性を有する樹脂材料などにより一体的に形成されている。対物レンズ２，フォーカスコイル７およびトラッキングコイル８などは、本体部２０の所定位置に設けられている。
【００１４】
本体部２０は、対物レンズ２が取付けられるレンズ支持部２１と、中空で所定形状に形成されたコイル支持部２２とを有している。レンズ支持部２１の中心軸線が対物レンズ２の光軸Ｂと一致するように、対物レンズ２はレンズ支持部２１に取付けられている。
コイル支持部２２はレンズ支持部２１と一体的に形成され、コイル支持部２２の内壁部２３は光軸Ｂとほぼ平行になるように形成されている。内壁部２３で形成される開口部２４が、コイル支持部２２の内方に位置している。
【００１５】
一つのフォーカスコイル７と二つのトラッキングコイル８により、コイルユニット２５が構成され、このコイルユニット２５は、内壁部２３に支持された状態でコイル支持部２２に取付けられている。
フォーカスコイル７は、その巻軸が対物レンズ２の光軸Ｂと平行（Ｘ方向と平行）になるように、内壁部２３に支持されている。二つのトラッキングコイル８は、Ｚ方向に並んで配置され、フォーカスコイル７と内壁部２３との一方または両方に支持されている。各トラッキングコイル８は、それぞれの巻軸の方向がＹ方向と平行になっている。
【００１６】
ヨーク部６は、光ディスク装置のケースまたはベース部材（図示せず）などの固定側に固定され、所定形状に形成されている。ヨーク部６は、平面視でほぼ矩形の板状に形成され光ディスク装置の固定側に取付けられた基台３０と、基台３０にほぼ直角に固定され且つフォーカスコイル７より外方側に配置されたヨーク１０と、基台３０にほぼ直角に固定され且つフォーカスコイル７より内方側に配置されたヨーク１１とを有している。
ヨーク１０とヨーク１１は、ほぼ矩形状を有し突出して基台３０に設けられ、互いに平行に且つ所定位置に配置されている。二つのヨーク１０，１１は、コイル支持部２２の開口部２４を挿通して配設されている。
第１の永久磁石９ａと第２の永久磁石９ｂは、ヨーク部６に取付けられ、一個のフォーカスコイル７および合計二個のトラッキングコイル８に対応して所定位置に配置されている。
第１の永久磁石９ａは、ヨーク１０に（または、直接基台３０に）接着剤などで固着されている。第１の永久磁石９ａは、二つ並んだトラッキングコイル８に対向して配置されている。
【００１７】
第２の永久磁石９ｂは、ヨーク１１に（または、直接基台３０に）接着剤などで固着されている。第２の永久磁石９ｂは、フォーカスコイル７の内方をＸ方向に貫通しており、また二つのトラッキングコイル８に対向して配置されている。
フォーカスコイル７と、その内方に配置されたヨーク１１および第２の永久磁石９ｂと、フォーカスコイル７の外方に配置されたヨーク１０および第１の永久磁石９ａとの間で、磁気回路が構成されている。
二つのトラッキングコイル８の巻線は、それぞれの巻線方向がフォーカスコイル７の巻線方向に対して直角になるように巻回されている。二つのトラッキングコイル８は、第１の永久磁石９ａと第２の永久磁石９ｂとが形成する磁界中に配置されて磁気回路を形成している。
【００１８】
支持ワイヤ４は、可動部３の両側にＹ方向とほぼ平行にそれぞれ二本ずつ合計四本設けられている。支持ワイヤ４は、その一端部（支持台５から遠い方の端部）が可動部３側に固定され、他端部が支持台５側に固定されている。
可動部３は、四本の支持ワイヤ４を介して、支持台５とヨーク部６との間の空間に浮いている格好で取付けられている。したがって、可動部３は、移動や揺動などの動作を行なって、可動部３の状態（可動部３の位置，姿勢など）を自在に変化させることができる。
可動部３は、フォーカスコイル７とトラッキングコイル８に電流が供給されていないときの基本位置から、フォーカスコイル７とトラッキングコイル８の一方または両方に電流を供給することにより、上下方向（Ｘ方向）や左右方向（Ｚ方向）にシフト（移動）することができる。
ここで、「可動部３の基本位置」とは、たとえば、フォーカスコイル７とトラッキングコイル８に電流を供給しないで可動部３が静止している状態で、トラッキングコイル８がヨーク１０，１１や永久磁石９ａ，９ｂなどに対して右側および左側において等距離に位置し、可動部３がヨーク基台３０と平行に位置し、可動部３の上下，左右の中心線がともに基準線（図示せず）と一致しているときの、可動部３の位置をいう。
【００１９】
支持ワイヤ４が接続されるプリント配線板３１が、支持台５に接着剤などで固着されている。プリント配線板３１には、支持ワイヤ４を係合させるための複数（ここでは、四つ）の孔が所定位置に穿設されている。
支持台５には、支持ワイヤ４を貫通させるための複数（ここでは、四つ）の貫通孔が所定位置に穿設されている。支持ワイヤ４の他端部は、プリント配線板３１の孔を通してプリント配線板３１に電気的に接続されるとともに、支持台５側に固定されている。
【００２０】
可動部３には、被接触部としての半田用基板３３が複数（ここでは、四つ）設けられている。半田用基板３３は、支持ワイヤ４の軸線方向（Ｙ方向）に対して若干傾斜している半田面３２を有している。
半田用基板３３の半田面３２が、支持ワイヤ４の端部３４またはその近傍に対して傾斜した状態で接触し半田付けされることにより、支持ワイヤ４は、フォーカスコイル７とトラッキングコイル８にそれぞれ電気的に接続される。これにより、可動部３を支持するための支持ワイヤ４を、撓むことなく真っ直ぐの状態で可動部３に半田付けすることができる。
半田用基板３３は、可動部本体部２０の基準面２６に対する半田面３２の傾斜角度θを調節可能に、可動部本体部２０に取付けられている。可動部本体部２０の基準面２６は、支持ワイヤ４の軸線方向と平行な面（ここでは、Ｘ，Ｙ平面と平行な面）である。
支持ワイヤ４を真っ直ぐな状態に保つために、支持ワイヤ４と半田用基板３３の根元部３５との間には隙間ｄができるように、光ピックアップ１の各部品が構成されている。この隙間ｄは、各部品の製造誤差などにより、個々の光ピックアップごとに大きくなったり小さくなったりする。
可動部本体部２０の基準面２６に対する半田面３２の傾斜角度が調節可能なので、支持ワイヤ４に応力をかけることなく、自然な状態で支持ワイヤ４の端部３４またはその近傍を半田面３２に接触させることができる。
このとき、半田面３２は、支持ワイヤ４の端部３４またはその近傍に対して傾斜した状態で接触しているので、隙間ｄが大きいときは半田面３２の傾斜角度θを大きくする調整を行い、隙間ｄが小さいときは傾斜角度θを小さくする調整を行えばよい。
【００２１】
四つの半田用基板３３は、塑性変形可能な支持部３６を介して可動部本体部２０に取付けられ、四つの支持ワイヤ４にそれぞれ対応する位置に配置されている。本実施例では、可動部本体部２０に一体的に形成された支持部３６と、傾斜角度θを調節可能に支持部３６に取付けられた半田用基板３３とにより可動取付け部３７が構成され、この可動取付け部３７が可動部３に設けられている。
隙間ｄに対応する所望の傾斜角度θになるように、半田用基板３３を可動部本体部２０の基準面２６から離れる方向に引き起こす。すると、支持部３６が塑性変形して、基準面２６に対する半田面３２の傾斜角度θが所望の角度になるように、半田用基板３３が位置決め保持される。
その結果、支持ワイヤ４は、応力を殆ど受けることなくその端部３４またはその近傍が半田面３２に自然な状態で接触することになる。なお、支持ワイヤ４の端部３４が半田用基板３３の先端部３８を超えて長く延びているときには、半田面３２が、支持ワイヤ４の端部３４の近傍に対して傾斜した状態で接触することになる。
【００２２】
こうして、支持ワイヤ４は、撓むことなく真っ直ぐの状態で半田面３２に半田付け可能になる。半田用基板３３には、フォーカスコイル７またはトラッキングコイル８の巻線の端部が接続されている。
支持ワイヤ４の端部３４またはその近傍が、半田用基板３３に半田付けされることにより、支持ワイヤ４は、フォーカスコイル７またはトラッキングコイル８に電気的に接続されている。
フォーカスコイル７の巻線および二つのトラッキングコイル８の各巻線は、半田用基板３３と、支持ワイヤ４と、この支持ワイヤ４が電気的に接続されたプリント配線板３１とによって、制御回路（図示せず）に電気的に接続されている。
【００２３】
光ピックアップ１は、図示しない光学系を有している。この光学系は、レーザー光を発生する半導体レーザーなど光源，光検出器，反射ミラー，レンズおよび回折格子などを有している。対物レンズ２もこの光学系に含まれる。
光検出器は、光ディスクの記録面で反射したレーザー光を受光し、再生信号を検出するとともに、光ディスクの記録面の高さ位置や傾きを検出し、フォーカスエラー信号，トラッキングエラー信号なども検出する。
【００２４】
次に、光ピックアップ１の動作について説明する。
まず、光ディスク装置において、光ディスクが駆動モータにより回転駆動されている状態で、移動機構により光ピックアップ１を所望の位置に移動させる。そして、光学系で発生したレーザー光を対物レンズ２で記録面上に集光させて、光ディスクに対して情報の記録，再生などを行う。
光ピックアップ１の状態（可動部３の位置，姿勢など）を制御する場合には、光検出器で検出された光ディスクの記録面の高さ位置や傾きなどに関する検出結果を、変換部で電気信号に変換して、制御部に電気信号として出力する。制御部では、変換部から出力された電気信号に基づいて、フォーカスコイル７に流す電流とトラッキングコイル８に流す電流をそれぞれ制御する。
【００２５】
対物レンズ２をフォーカス方向（Ｘ方向）に移動させる場合には、制御部は、移動すべき方向および移動量に応じた制御電流を、支持ワイヤ４を介してフォーカスコイル７に供給する。すると、フォーカスコイル７により生じる電磁力により、可動部３が光ディスクに対してフォーカス方向（Ｘ方向）に移動（シフト）して、対物レンズ２の位置を調整する。
同様に、支持ワイヤ４を介して二つのトラッキングコイル８に供給する電流を制御すれば、トラッキングコイル８により生じる電磁力により、可動部３が光ディスクのトラッキング方向（Ｚ方向）に移動（シフト）して、対物レンズ２の位置を調整する。
このようにして、可動部３は、フォーカス方向，トラッキング方向にそれぞれ移動するようにその位置が制御される。
【００２６】
光ピックアップ１を組み立てるのに支持ワイヤ４を組み込む際には、支持台５やヨーク部６に対して可動部３を所定位置に位置決めする。そして、支持ワイヤ４を、プリント配線板３１の孔と支持台５の貫通孔を貫通させ、矢印Ｅに示すようにＹ方向に移動させれば、半田面３２が、支持ワイヤ４の端部３４またはその近傍に対して傾斜した状態で一点で接触する。
半田用基板３３の半田面３２が、支持ワイヤ４の軸線方向に対して若干傾斜しているので、支持ワイヤ４の端部３４またはその近傍は、半田面３２に自然な状態で接触する。その結果、支持ワイヤ４は、撓むことがなくなるので、曲がりがなく真っ直ぐの状態で容易に半田面３２に半田付けされる。
すなわち、支持ワイヤ４の端部３４またはその近傍が半田面３２に接触する際、半田面３２は、支持ワイヤ４の軸線方向に対して傾斜した状態で接触するので、支持ワイヤ４と半田用基板３３との間には隙間がなく点接触することになり、支持ワイヤ４の撓みが発生しなくなる。また、半田付け作業に手間が掛からず、半田付けの自動化も可能である。
支持ワイヤ４の撓みの発生を防止できるので、支持ワイヤ４が、可動部３のシフト動作や傾き動作などの特性に対して悪影響を及ぼす恐れがない。
【００２７】
以上、本発明の実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２８】
本発明は、ＤＶＤ，ＣＤなどの記録面上に対物レンズでレーザー光などを集光させて情報の記録，再生などを行う光ディスク装置に取付けられる光ピックアップに適用される。
【図面の簡単な説明】
【００２９】
【図１】本発明の一実施例にかかる光ピックアップの平面図である。
【図２】図１の一部拡大平面図である。
【図３】図３は従来の光ピックアップの平面図であり、図３（Ａ），（Ｂ）は、支持ワイヤを半田付けする前と半田付けした後の状態をそれぞれ示している。
【符号の説明】
【００３０】
１    光ピックアップ
２    対物レンズ
３    可動部
４    支持ワイヤ
５    支持台
６    ヨーク部
７    フォーカスコイル
８    トラッキングコイル
９ａ，９ｂ    永久磁石
２０  可動部の本体部
２６  基準面
３２  半田面
３３  半田用基板（被接触部）
３４  端部
３６  支持部
θ    傾斜角度
【図１】
2005149585.tif 000003
【図２】
2005149585.tif 000004
【図３】
2005149585.tif 000005